(57)【要約】【課題】写真撮影装置の厚みが厚くなっても、しっかり狭持保持しつつ、補助レンズのアーム部側が浮き上がりを防止することができる写真撮影装置の補助レンズ具を提供する。【解決手段】補助レンズ具１０は、携帯電話機に設けられた撮影レンズの前方に配置される補助レンズ２０と、補助レンズ２０に一端３０ａが固定され、撮影レンズの反対側となる位置を保持位置として他端３０ｂが当接して、携帯電話機を一端３０ａと他端３０ｂとで狭持する略Ｃリング状に形成されたクリップばね構造のアーム部３０とを備えたものである。このアーム部３０は、携帯電話機を狭持したときに、他端３０ｂの外側面と保持位置の当接面とのなす角が９０°以下となるように形成されている。そして、アーム部３０の一端３０ａは、携帯電話機を狭持したときに、補助レンズ２０のレンズ枠２１とのなす角が略水平となるように固定されている。【選択図】図２
2012008283.tif 000002
【特許請求の範囲】
【請求項１】
写真撮影装置に設けられた撮影レンズの前方に配置される補助レンズと、
前記補助レンズに一端が固定され、前記撮影レンズの反対側となる位置を保持位置として他端が当接して、前記写真撮影装置を一端と他端とで狭持する略Ｃリング状に形成されたクリップばね構造のアーム部とを備え、
前記アーム部は、前記写真撮影装置を狭持したときに、前記他端の外側面と前記保持位置の当接面とのなす角が９０°以下となるように形成されていることを特徴とする写真撮影装置の補助レンズ具。
【請求項２】
前記アーム部の他端には、弾性部材によるカバーが設けられている請求項１記載の写真撮影装置の補助レンズ具。
【請求項３】
前記アーム部の一端は、前記写真撮影装置を狭持したときに、前記補助レンズのレンズ枠とのなす角が略水平となるように固定されている請求項１また２記載の写真撮影装置の補助レンズ具。
【請求項４】
前記アーム部の一端には、前記補助レンズのレンズ枠を狭持保持する略Ｃリング状の補助レンズ装着部が設けられ、
前記補助レンズ装着部の内周縁側には、前記レンズ枠に形成された環状の溝部に嵌合する断面略Ｌ字状の円形段差部が設けられている請求項１から３のいずれかの項に記載の写真撮影装置の補助レンズ具。
【請求項５】
前記円形段差部には、先端開放された両端部分の２ヵ所と、奥部の１ヵ所に、前記レンズ枠を支持する突起部が設けられ、
前記奥部の突起部の両側に切欠部が設けられている請求項４記載の写真撮影装置の補助レンズ具。
【発明の詳細な説明】
【技術分野】
【０００１】
本発明は、カメラ機能付き携帯電話機やデジタルカメラなどの写真撮影装置に装着できる、例えば、望遠レンズ、広角レンズ、接写レンズ、偏光フィルタ、プリズムフィルタ、クロス効果フィルタなどの機能を有する補助レンズ具に関するものである。
【背景技術】
【０００２】
写真撮影装置の一例であるカメラ機能付き携帯電話機の多くは単焦点レンズが実装されているため、レンズが交換可能な一眼レフカメラと異なり、広角レンズや接写レンズが取り付けられない。従って、風景を更に広角で撮影したい場合や、花や昆虫に接近して撮影したい場合などに、撮影が困難となることがある。
このようなときに、例えば、特許文献１に記載された補助レンズ具を装着することで、所望とする写真を撮影することができる。
この特許文献１に記載の補助レンズ具は、撮影レンズ前方に、一端の補助レンズを固定し、撮影レンズの位置に対応した反対側に他端を当接保持して全体が略２点支持となるよう、略Ｃリング状に形成されたクリップばね構造の固定手段を備えたものである。
【先行技術文献】
【特許文献】
【０００３】
【特許文献１】実用新案登録３１０７０２５号公報
【発明の概要】
【発明が解決しようとする課題】
【０００４】
しかし、この特許文献１に記載のレンズ具は、補助レンズを携帯電話機に取り付けるための固定手段である略Ｃリング状に形成されたアーム部の他端側であって、撮影レンズの位置と反対側に当接保持する他端の外側面と、携帯電話機の裏面とのなす角が、鈍角となっているため、厚みが厚い携帯電話機に挟み込んだときに、更になす角が小さくなることで、アーム部が携帯電話機を挟み込む狭持力が低下し、補助レンズを付けたまま、携帯電話機を持ち歩いたりすると、補助レンズが撮影レンズから外れることが心配される。
また、アーム部の他端の内側面が本体裏面と鋭角に接していると、アーム部の開き度合いが少しでも大きくなると、アーム部全体が直径が大きいリングとなるため、補助レンズのアーム部側が浮き上がってしまい、補助レンズと撮影レンズとの光軸がずれるという問題が発生する。そうなると、所望とする撮影ができなくなってしまう。
【０００５】
そこで本発明は、写真撮影装置の厚みが厚くなっても、しっかり狭持保持しつつ、補助レンズのアーム部側が浮き上がりを防止することができる写真撮影装置の補助レンズ具を提供することを目的とする。
【課題を解決するための手段】
【０００６】
本発明の写真撮影装置の補助レンズ具は、写真撮影装置に設けられた撮影レンズの前方に配置される補助レンズと、前記補助レンズに一端が固定され、前記撮影レンズの反対側となる位置を保持位置として他端が当接して、前記写真撮影装置を一端と他端とで狭持する略Ｃリング状に形成されたクリップばね構造のアーム部とを備え、前記アーム部は、前記写真撮影装置を狭持したときに、前記他端の外側面と前記保持位置の当接面とのなす角が９０°以下となるように形成されていることを特徴とする。
【０００７】
本発明によれば、アーム部が、写真撮影装置を狭持したときに、撮影レンズの反対側となる位置を保持位置として当接するアーム部の他端の外側面と、保持位置の当接面とのなす角が９０°以下となるように形成されていることにより、写真撮影装置が薄いときにはアーム部の他端の外側面が鋭角で保持位置の当接面と当接するので、アーム部が外れる方向に対して阻止する方向に狭持力が作用するので、しっかりと写真撮影装置を保持することができる。また、写真撮影装置が厚くても、アーム部の他端の外側面が９０°の角度で保持位置の当接面と当接するので、写真撮影装置の裏面（撮影レンズの反対側）を他端が垂直に押圧することで、保持力を維持することができる。また、アーム部を厚い写真撮影装置に装着して、アーム部の他端の外側面と保持位置の当接面とのなす角が大きくなっても、直角を超えないため、アーム部の他端側の曲がり度合いに余裕ができ、アーム部一端側まで影響が及ばない。従って、補助レンズの浮き上がりを防止することができる。
【０００８】
アーム部の他端には、弾性部材によるカバーが設けられているのが望ましい。カバーが写真撮影装置を傷つけにくくするだけでなく、他端が保持位置からずれることを防止するので、より一層、保持力を向上させることができる。
【０００９】
前記アーム部の一端は、前記写真撮影装置を狭持したときに、前記補助レンズのレンズ枠とのなす角が略水平となるように固定されているのが望ましい。アーム部に外れる方向の外力が作用したときに、アーム部の一端をレンズ枠とのなす角が略水平となるように固定していると、レンズ枠が水平方向に引っ張られるので、レンズ枠が接する写真撮影装置の当接面との間で最大の摩擦が得られる。従って、アーム部の一端側を外れにくくすることができる。
【００１０】
前記アーム部の一端には、前記補助レンズのレンズ枠を狭持保持する略Ｃリング状の補助レンズ装着部が設けられ、前記補助レンズ装着部の内周縁側には、前記レンズ枠に形成された環状の溝部に嵌合する断面略Ｌ字状の円形段差部が設けられているのが望ましい。
補助レンズ装着部の内周縁側に設けられた断面略Ｌ字状の円形段差部が、レンズ枠に形成された環状の溝部に隙間無く嵌合して、補助レンズ装着部がしっかりとレンズ枠を保持するので、アーム部を写真撮影装置に狭持させたときに、補助レンズが補助レンズ装着部から外れることを防止することができる。
【００１１】
前記円形段差部には、先端開放された両端部分の２ヵ所と、奥部の１ヵ所に、前記レンズ枠を支持する突起部が設けられ、前記奥部の突起部の両側に切欠部が設けられているのが望ましい。円形段差部にレンズ枠を３点支持する３つの突起部が設けられているので、補助レンズを装着したレンズ枠が補助レンズ装着部内で光軸の廻りに容易に回転させることができる。補助レンズを補助レンズ装着部に着脱するときは、略Ｃリング状の補助レンズ装着部の先端開放された両端部分が離間する方向に開く。その際に切欠部が開くことで、補助レンズ装着部が撓みやすくなり、無理な応力が作用して亀裂が入ったり割れたりすることなく、補助レンズを容易に脱着することができる。特に、奥部の突起部の両側に切欠部が設けられているので、突起部により円形段差部の幅が広くなっていても、大きな力を付与することなく補助レンズ装着部を開かせることができ、補助レンズを補助レンズ装着部に取り付けたり外したりすることができる。
【発明の効果】
【００１２】
本発明は、写真撮影装置の厚みが厚くなっても、しっかり狭持保持しつつ、補助レンズのアーム部側が浮き上がりを防止することができることにより、少し手荒く扱っても補助レンズが写真撮影装置から外れずに、かつ光軸がずれることなく撮影を行うことができるので、美しい写真を撮影することができる。
【図面の簡単な説明】
【００１３】
【図１】本実施の形態に係る補助レンズ具が携帯電話機に装着された状態を示す斜視図である。
【図２】図１に示す補助レンズ具の分解斜視図である。
【図３】図１に示す補助レンズ具のレンズ枠とレンズ枠に嵌合した補助レンズ装着部を示す図である。
【図４】補助レンズ装着部を説明するための部分平面図である。
【図５】図１に示す補助レンズ具を厚みが薄い携帯電話機に装着した状態を示す図である。
【図６】図１に示す補助レンズ具を厚みが厚い携帯電話機に装着した状態を示す図である。
【図７】補助レンズ装着部の突起部の両側に切欠部が設けられていない場合を説明するための図である。
【発明を実施するための形態】
【００１４】
本発明の実施の形態に係る写真撮影装置の補助レンズ具について、図面に基づいて説明する。
図１に示すように、補助レンズ具１０は、写真撮影装置の一例である、カメラ機能付き携帯電話機Ｐに取り付けられるものである。この補助レンズ具１０は、補助レンズ２０とアーム部３０とを備えている。
【００１５】
補助レンズ２０は、接写レンズ（マクロレンズ），広角レンズ，望遠レンズ等のレンズ機能、さらにはプリズムフィルタ，クロス効果フィルタ，偏光フィルタ等のフィルタレンズ機能等の光学部材である。この補助レンズ２０には、図２に示すように、レンズ枠２１が設けられている。
レンズ枠２１は、携帯電話機Ｐ側が直径の小さい小径部２１１部であり、反対側が小径部２１１より直径の大きい大径部２１２となっている。小径部２１１には、環状の溝部２１１ａが形成されている。また、小径部２１１の携帯電話機Ｐとの当接面側には、弾性部材であるＰＶＣ・シリコンゴム・ウレタンゴム等の軟質な合成樹脂製材によって形成されたリング部材２１３が設けられている。
【００１６】
図１および図２に示すように、アーム部３０は、ポリカーボネート等のプラスチックまたは金属を一体成形することにより形成された携帯電話機Ｐを狭持する略Ｃリング状のクリップばね構造とした帯状体である。本実施の形態では、アーム部３０の直径が約３ｃｍに形成されている。
アーム部３０の一端３０ａに、撮影レンズＱ前方に光軸を合致させた状態で当接可能となるよう、かつ略水平に補助レンズ装着部３１が設けられている。また、アーム部３０の他端３０ｂには、撮影レンズＱの位置に対応した反対側を当接位置として当接するカバー３２が設けられている。
アーム部３０は、携帯電話機Ｐを狭持したときに、他端３０ｂの外側面と携帯電話機Ｐの保持位置の当接面とのなす角が９０°以下となるように形成されている。
【００１７】
補助レンズ装着部３１は、補助レンズ２０のレンズ枠２１を狭持保持する略Ｃリング状に形成されている。この補助レンズ装着部３１の内周縁側には、図１および図３に示すように、補助レンズ２０を装着した円筒状のレンズ枠２１の溝部２１１ａを介して着脱可能となるよう円形段差部３１１が設けられている。
円形段差部３１１は、レンズ枠２１の溝部２１１ａに嵌る溝嵌合部３１１ａと、溝嵌合部３１１ａの周縁に立設された周壁部３１１ｂとにより断面略Ｌ字状に形成されている。
図１および図４に示すように、円形段差部３１１の溝嵌合部３１１ａには、内周縁に沿って先端開放された両端部分と、補助レンズ装着部３１の奥部となるアーム部３０に近接した内周縁の中央部分に、レンズ枠２１を３点で支持させるための３つの突起部３１２が設けられている。
３つの突起部３１２のうち、奥部に位置する突起部３１２の両側には、切欠部３１３が設けられている。
【００１８】
カバー３２は、弾性部材であるＰＶＣ・シリコンゴム・ウレタンゴム等の軟質な合成樹脂製材によって形成されている。
【００１９】
以上のように構成された本発明の実施の形態に係る補助レンズ具１０の使用状態について、図面に基づいて説明する。
アーム部３０の開度を大きくし、アーム部３０の一端３０ａ側である補助レンズ２０を携帯電話機Ｐの撮影レンズＱに、アーム部３０の他端３０ｂ側となるカバー３２を撮影レンズＱの反対側に位置させて、補助レンズ具１０で携帯電話機Ｐを挟み込めば装着は完了である。
これで写真撮影を行えば、補助レンズ２０が広角レンズであれば広い範囲の撮影ができ、補助レンズ２０が望遠レンズであれば拡大した写真が撮れる。また、接写レンズであれば被写体に接近しての撮影が可能である。
【００２０】
携帯電話機Ｐが薄い場合には、図５に示すように、アーム部３０の他端３０ｂの外側面と、撮影レンズＱの反対側となる保持位置の当接面Ｓ１とのなす角θが鋭角で当接するので、アーム部３０が外れる方向Ｆ１の外力に対して阻止する方向Ｆ２に狭持力が作用する。従って、アーム部３０は、しっかりと携帯電話機Ｐを保持することができる。この場合には、アーム部３０の他端３０ｂが少し開いた程度なので、アーム部３０の一端３０ａに設けられた補助レンズ２０は問題なく現状の位置を維持することができる。
【００２１】
また、携帯電話機Ｐが厚い場合には、図６に示すように、アーム部３０の他端３０ｂの外側面が９０°の角度で保持位置の当接面Ｓ１と当接するので、携帯電話機Ｐを他端３０ｂに設けられたカバー３２が垂直に押圧することで、保持力を維持することができる。また、アーム部を厚い写真撮影装置に装着して、アーム部の他端の外側面と保持位置の当接面とのなす角が大きくなっても、直角を超えないため、アーム部３０の他端３０ｂ側の曲がり度合いに余裕ができる。従って、アーム部３０の一端３０ａ側まで影響が及ばないため、補助レンズ２０の浮き上がりを防止することができる。
【００２２】
このように、補助レンズ具１０は、携帯電話機Ｐの厚みが変わっても、しっかり狭持保持することができるので、少し手荒く扱っても携帯電話機Ｐから外れずに撮影を行うことができる。また、補助レンズ２０の浮き上がりを防止することができるので、光軸がずれることなく撮影を行うことができるので、美しい写真を撮影することができる。
【００２３】
アーム部３０の他端３０ｂには、弾性部材によるカバー３２が設けられているので、携帯電話機Ｐを傷つけにくい。また、カバー３２が当接角度に応じて弾性変形してカバー３２と当接面Ｓ１との接触面積が増加して滑りにくくなるので、他端３０ｂが保持位置からずれることが防止できる。従って、より一層、保持力を向上させることができる。
【００２４】
図５に示すように、携帯電話機Ｐを狭持したときに、アーム部３０に外れる方向Ｆ１の外力がかかると、レンズ枠２１が方向Ｆ１に引っ張られる。しかし、アーム部３０の一端３０ａは補助レンズ２０のレンズ枠２１とのなす角が略水平となるように固定されているので、レンズ枠２１が接する携帯電話機Ｐの当接面Ｓ２との間で最大の摩擦が得られる。従って、アーム部３０の一端３０ａ側を外れにくくすることができる。
【００２５】
補助レンズ装着部３１の内周縁側に設けられた断面略Ｌ字状の円形段差部３１１が、レンズ枠２１に形成された環状の溝部２１１ａに嵌合して、補助レンズ装着部３１がしっかりとレンズ枠２１を保持するので、アーム部３０を携帯電話機Ｐに狭持させたときに、補助レンズ２０が補助レンズ装着部３１から外れることを防止することができる。
【００２６】
円形段差部３１１にレンズ枠２１を３点支持する３つの突起部３１２が設けられているので、補助レンズ２０を装着したレンズ枠２１が補助レンズ装着部３１内で光軸の廻りに容易に回転させることができる。従って、補助レンズ２０がプリズムフィルタ，クロス効果フィルタ，偏光フィルタ等のフィルタレンズ機能等の光学部材であれば、回転させることで、撮影レンズＱへ入射する光を変化させることができる。
【００２７】
本実施の形態では、奥部の突起部３１２の両側に切欠部３１３が設けられている。例えば、図７に示すように、突起部３１２ｘの両側に切欠部が設けられていないと、突起部３１２ｘが設けられている位置は、円形段差部３１１の溝嵌合部３１１ａの幅が広くなっていると同じことである。従って、補助レンズ２０を補助レンズ装着部３１に着脱するときに、補助レンズ装着部３１の先端開放された両端部分が離間する方向に開くと、溝嵌合部３１１ａの突起部３１２ｘが設けられている位置は撓みにくいため、亀裂が入ったり割れたりすることが心配される。
しかし、図４に示すように、奥部の突起部３１２の両側に切欠部３１３が設けられているので、突起部３１２により円形段差部３１１の溝嵌合部３１１ａの幅が広くなっていても、大きな力を付与することなく補助レンズ装着部３１を開かせることができ、補助レンズ２０を補助レンズ装着部３１に取り付けたり外したりすることができる。
【００２８】
以上、本発明の実施の形態について説明してきたが、本発明は前記実施の形態に限定されるものではない。例えば、本実施の形態では、アーム部３０は帯状体に形成されていたが、棒状をリング状に形成してクリップばね構造としたものでもよい。また、カバー３２は、アーム部３０と別体で形成されているが、一体的に形成したものでもよい。
また、本実施の形態では、補助レンズ２０のレンズ枠２１を略Ｃリング状の補助レンズ装着部３１に嵌め込む構造であるが、レンズ枠に突起を設け、アーム部３０の一端に設けた穴部に差し込むような構造としてもよい。その場合には、レンズ枠が２重構造として内側レンズ枠が外側レンズ枠の内側で回転できるようにするのが望ましい。
【産業上の利用可能性】
【００２９】
本発明の補助レンズ具は、フィルタの装着やレンズの交換できないカメラ機能付き携帯電話機やデジタルカメラなどの写真撮影装置に好適である。
【符号の説明】
【００３０】
１０  補助レンズ具
２０  補助レンズ
２１  レンズ枠
２１１  小径部
２１１ａ  溝部
２１２  大径部
２１３  リング部材
３０  アーム部
３０ａ  一端
３０ｂ  他端
３１  補助レンズ装着部
３１１  円形段差部
３１１ａ  溝嵌合部
３１１ｂ  周壁部
３１２，３１２ｘ  突起部
３１３  切欠部
３２  カバー
Ｐ  携帯電話機
Ｑ  撮影レンズ
Ｓ１，Ｓ２  当接面
【図１】
2012008283.tif 000003
【図２】
2012008283.tif 000004
【図３】
2012008283.tif 000005
【図４】
2012008283.tif 000006
【図５】
2012008283.tif 000007
【図６】
2012008283.tif 000008
【図７】
2012008283.tif 000009